(57)【特許請求の範囲】
【請求項１】
パネルを隔てて互いに対向する一方側の配管と他方側の配管とを相互に同軸的に接続するための配管取付装置であって、一端に一方側の配管を且つ他端に他方側の配管をそれぞれ接続するコネクターと、該コネクターを嵌合保持する軸孔を有し、エラストマー又は熱可塑性エラストマーからなるコネクターホルダーと、該コネクターホルダーをパネルの開口に取り付けて固定する取付部材とを備え、前記取付部材の環状の平板部に雌ネジ部材又はボルト部材が複数固定され、この雌ネジ部材又はボルト部材に螺合するボルト部材又は雌ネジ部材により、前記コネクターホルダーがその周縁フランジ部を取付部材の環状の平板部とパネルの開口の周縁部との間で挟持された状態で固定され、且つ前記コネクターホルダーの案内壁部の外周側に設けた複数の弾性爪が前記パネルの開口の周縁部に係合していることを特徴とする前記配管取付装置。
【請求項２】
前記コネクターホルダーの周縁フランジ部が、軸孔に対して径方向に突出した環状の平板周縁部のみからなり、該環状の平板周縁部が取付部材の環状の平板部とパネルの開口の周縁部との間で挟持されていることを特徴とする、請求項１に記載の配管取付装置。
【請求項３】
前記取付部材の環状平板部の突出部に設けたファスナーが、その爪部により前記パネルの係止穴にスナップ係合していることを特徴とする、請求項１又は２に記載の配管取付装置。
【請求項４】
パネルを隔てて互いに対向する一方側の配管と他方側の配管とを相互に同軸的に接続するための配管取付装置であって、一端に一方側の配管を且つ他端に他方側の配管をそれぞれ接続するコネクターと、該コネクターを嵌合保持する軸孔を有し、エラストマー又は熱可塑性エラストマーからなるコネクターホルダーと、該コネクターホルダーをパネルの開口に取り付けて固定する取付部材とを備え、前記コネクターホルダーの周縁フランジ部が、軸孔に対して径方向に突出した環状の平板周縁部と、その外周側を内側に折り返して断面略コ字状に形成した環状の折り返し周縁部とを有し、平板周縁部と折り返し周縁部とで形成された環状溝内に前記取付部材が配置されると共に、折り返し周縁部が取付部材の環状の平板部とパネルの開口の周縁部との間で挟持され、且つ前記コネクターホルダーの周縁フランジ部が取付部材の環状の平板部とパネルの開口の周縁部との間で挟持されていることを特徴とする前記配管取付装置。
【請求項５】
前記取付部材は、環状溝内に収納された環状の平板部と、該環状の平板部から直角方向下方にコネクターホルダーのホルダー本体部の下側部分に沿って伸びた筒状案内部とを備え、該筒状案内部の外周側にパネルの開口の周縁部に係合する複数の弾性爪部を備えることを特徴とする、請求項４に記載の配管取付装置。
【請求項６】
前記取付部材の環状の平板部に雌ネジ部材又はボルト部材が複数固定され、この雌ネジ部材又はボルト部材に螺合するボルト部材又は雌ネジ部材により、コネクターホルダーがパネルに固定されることを特徴とする、請求項４又は５に記載の配管取付装置。
【請求項７】
前記コネクターホルダーの周縁フランジ部は、パネルと当接する部分に環状凸部を有することを特徴とする、請求項１〜６のいずれかに記載の配管取付装置。
【請求項８】
前記コネクターホルダーの軸孔は、内周面にリング状凸部を有することを特徴とする、請求項１〜７のいずれかに記載の配管取付装置。
【請求項９】
前記取付部材が前記コネクターホルダーに一体的に接合されていることを特徴とする、請求項１〜８のいずれかに記載の配管取付装置。
【発明の詳細な説明】
【０００１】
【発明の属する技術分野】
本発明は、車両や機械設備等において、パネルを隔てて互いに対向する一方側の配管と他方側の配管とを相互に同軸的に接続するための配管取付装置に関するものである。
【０００２】
【従来の技術】
例えば、自動車の燃料タンクの配管系統等においては、フロアパネルの下側に配管される複数のチューブとフロアパネルの上側に配管される複数のチューブとを接続する場合、フロアパネルの上側の各チューブをコネクターの一端に接続した状態で保持具を用いてフロアパネルにまとめて固定すると共に、その保持具の端部をフロアパネルから下方に突き出し、フロアパネルの下側の各チューブをコネクターの他端に接続することによって、フロアパネルの両側の複数のチューブをそれぞれ接続している。
【０００３】
このような配管の接続に用いる保持具に関しては、特に自動車の配管系統等における複数のチューブを能率良く接続するため、各種構造の配管取付具が提案されている。例えば実開平４−１１４１９３号公報には、複数のチューブの管端に固定した各管継手（コネクター）と、各コネクターを配列状態に保持しえるように配列方向に２分割されたスペーサーと、このスペーサーを内側に収納して保持するホルダーと、ホルダーをフロアパネルの開口に固定するリテナーとを組み合わせた配管取付具が記載されている。
【０００４】
また、実開平６−３６９３２号公報には、複数のチューブを一端に接続した各コネクターと、各コネクターを配列して保持すると共に、パネルの開口に取り付けてボルトで固定されるグロメットとからなる配管取付具が記載されている。グロメットのベース部には、開口の内縁に沿って嵌合する案内溝と、開口の周縁に係合する弾性仮止め爪を備え、且つコネクターの挿着を容易にするためグロメットの保護筒部は２分割されている。
【０００５】
【発明が解決しようとする課題】
しかし、このような従来の配管取付具は、コネクターを保持するホルダーやグロメット等の部品が剛性材料の樹脂や金属等で構成されているため、これとコネクターとの間及びパネルとの間に、それぞれＯリングやスポンジゴム等のシール部材を取り付けてシール性を確保する必要があった。従って、シール部材を含めて部品点数が多くなり、場合によっては２分割された部品が必要であったりするため、コストダウンの要請に応じることが困難であった。
【０００６】
本発明は、このような従来の事情に鑑み、従来から用いられている個別のシール部材を無くし、少ない部品点数からなる簡単な構造であって、パネルの両側の配管を簡単に接続できる配管取付装置を提供すること、特に自動車の燃料タンクの配管系統のように複数のチューブをまとめて接続する場合に好適な配管取付装置を提供することを目的とする。
【０００７】
【課題を解決するための手段】
上記目的を達成するため、本発明が提供する配管取付装置は、パネルを隔てて互いに対向する一方側の配管と他方側の配管とを相互に同軸的に接続するための配管取付装置であって、一端に一方側の配管を且つ他端に他方側の配管をそれぞれ接続するコネクターと、該コネクターを嵌合保持する軸孔を有し、エラストマー又は熱可塑性エラストマーからなるコネクターホルダーと、該コネクターホルダーをパネルの開口に取り付けて固定する取付部材とを備え、前記取付部材の環状の平板部に雌ネジ部材又はボルト部材が複数固定され、この雌ネジ部材又はボルト部材に螺合するボルト部材又は雌ネジ部材により、前記コネクターホルダーがその周縁フランジ部を取付部材の環状の平板部とパネルの開口の周縁部との間で挟持された状態で固定され、且つ前記コネクターホルダーの案内壁部の外周側に設けた複数の弾性爪が前記パネルの開口の周縁部に係合していることを特徴とする。
【０００８】
本発明の配管取付装置は、コネクターホルダーに複数の軸孔を設けることによって、各軸孔にそれぞれコネクターを嵌合保持することができるから、複数のチューブが集合的に配管されている自動車の燃料タンクの配管系統等に使用する配管取付装置として特に好適である。尚、コネクターは従来から使用されている公知のものを用いることができる。
【０００９】
【発明の実施の形態】
本発明の配管取付装置においては、コネクターホルダーが天然ゴムや合成ゴム等のエラストマー又はポリスチレン系（ＴＰＳ）やポリオレフィン系（ＴＰＯ）等の熱可塑性エラストマーからなるので、このコネクターホルダーとその軸孔に嵌合保持されたコネクターとの間、及びコネクターホルダーとこれを取り付けるパネルとの間に、従来のようなＯリングやスポンジゴム等のシール部材を別に設けなくても、コネクターホルダーが自らの弾性によって相手側に密着するため、十分なシール性を確保することが可能である。
【００１０】
即ち、本発明の配管取付装置によれば、例えば、コネクターホルダーの周縁フランジ部として軸孔に対して径方向に突出した環状の平板周縁部を形成し、この環状の平板周縁部を取付部材の環状の平板部とパネルの開口の周縁部とで挟持して、取付部材とパネルの間をボルト部材と雌ネジ部材とで固定する。その結果、取付部材の環状の平板部がコネクターホルダーの平板周縁部をパネル表面に押し付けることになり、コネクターホルダーの平板周縁部とパネル表面とが開口の周囲で環状に密着して十分なシール性を確保することができる。
【００１１】
また、コネクターホルダーの周縁フランジ部の別の形態として、上記の環状の平板周縁部と、その外周側を内側に折り返して断面略コ字状に形成した環状の折り返し周縁部とを形成し、この平板周縁部と折り返し周縁部とで形成された環状溝内に取付部材を配置することもできる。この場合、折り返し周縁部が取付部材の環状の平板部によりパネル表面に押し付けられ、コネクターホルダーの折り返し周縁部とパネル表面とが開口の周囲で環状に密着することにより十分なシール性が確保される。
【００１２】
一方、コネクターホルダーとコネクターの間のシール性については、コネクターホルダーがエラストマー又は熱可塑性エラストマーから形成されているため、コネクターの外径とコネクターホルダーの軸孔の内径を調整することにより、軸孔に挿入嵌合されるコネクターとコネクターホルダーの間のシール性を確保することができる。
【００１３】
更に、コネクターホルダーとパネルとの間で一層優れたシール性を必要とする場合には、コネクターホルダーの周縁フランジ部のパネルと当接する部分に環状凸部を設けることができる。また、コネクターホルダーとコネクターの間には、コネクターホルダーの軸孔の内周面にリング状凸部を形成することができる。これらの環状凸部やリング状凸部は、局所的に強い力でパネル表面又はコネクター表面に押し付けられるので、これらとの間で一層優れたシール性を達成できる。尚、これらの環状凸部又はリング状凸部は、それぞれ１カ所に設けても、複数カ所に設けてもよい。
【００１４】
しかも、コネクターホルダーがエラストマー又は熱可塑性エラストマーからなるため、コネクターをコネクターホルダーの軸孔に差し込むだけで嵌着できると共に、嵌着後においてもコネクターをコネクターホルダーから取り外すことが可能である。従って、自動車等に組み込まれて市場に出された後において、チューブ又はコネクターを交換する必要がある場合にも、コネクターホルダーからチューブやコネクターを簡単に着脱することができる。
【００１５】
かかるコネクターホルダーを構成するエラストマーの具体例としては、エチレンプロピレンゴム（ＥＰＤＭ）、アクリロニトリルブタジエンゴム（ＮＢＲ）等があり、熱可塑性エラストマーの具体例としては、ポリプロピレンとエチレンプロピレンゴムのブレンドや、ポリスチレン−ポリブタジエンのブロック共重合体（ＳＢＳ）、ポリプロピレン樹脂とＥＰＤＭのポリマアロイなどをあげることができる。
【００１６】
本発明の配管取付装置を用いてパネルの両側の配管を接続する場合には、コネクターホルダーにコネクターを嵌合し、このコネクターの軸方向一端に一方側の配管を接続する。次に、コネクターホルダーの軸方向他端をパネルの開口に挿着し、コネクターホルダーをパネルに仮止めした後、取付部材を用いてコネクターホルダーをボルト部材と雌ネジ部材でパネルに固定する。取付部材には複数の雌ネジ部材を予め固定しておき、この雌ネジ部材にボルト部材を螺合することが好ましいが、逆に取付部材にボルト部材を固定してパネル側からナットで固定することもできる。最後に、コネクターの軸方向他端に他方側の配管を接続すれば、両側の配管を同軸的に接続することができる。
【００１７】
尚、取付部材を予めコネクターホルダーに一体的に接合しておくことも可能である。例えば、取付部材を金型のキャビテイ内にセットした後、熱可塑性エラストマーにてコネクターホルダーをインジェクション成形することにより、取付部材とコネクターホルダーとを一体的に接合できる。この場合、コネクターホルダーの周縁フランジ部を、環状の平板周縁部と、その外周側を内側に折り返して断面略コ字状に形成した環状の折り返し周縁部とで構成し、この平板周縁部と折り返し周縁部とで形成された環状溝内に取付部材を配置するように、予め一体的に接合することができる。また、取付部材の少なくとも環状の平板部を、コネクターホルダーの周縁フランジ部内に埋設することも可能である。
【００１８】
コネクターホルダーをパネルに仮止めするには、コネクターホルダーの固定に用いる取付部材に仮止め用爪部を設けることが好ましい。例えば、取付部材の環状の平板部から外側に突出部を設け、この突出部に爪状の仮止め手段を形成するのが簡単であり、その場合にはパネルの対応する位置に仮止め手段と係合する係合穴を予め設けておく必要がある。この仮止め手段を、取付部材からコネクターホルダーを貫通させて取り付け、パネルの開口の周縁部に係合させることも可能である。
【００１９】
また、取付部材をコネクターホルダーの周縁フランジ部に埋設するように配置する場合には、取付部材の平板部からコネクターホルダーのホルダー本体部の下側部分に沿って伸びた筒状案内部を形成し、この筒状案内部の外周にパネルの開口の周縁に係合する仮止め用爪部を複数ケ所設けることが好ましい。尚、エラストマー又は熱可塑性エラストマーからなるコネクターホルダーのホルダー本体部に、仮止め用爪部を一体的に設けることも可能である。
【００２０】
【実施例】
実施例１
本発明による配管取付装置の一具体例を、図面を参照して説明する。図１及び図３は自動車の燃料タンクの配管系統に用いる配管取付装置であり、一端に樹脂製チューブＡを接続するコネクター１と、複数のコネクター１を同時に保持するコネクターホルダー２と、コネクターホルダー２をフロアパネルＢに固定する取付部材３とからなり、コネクターホルダー２は図５に示すようにフロアパネルＢに取り付けられた後、そのコネクター１の他端に金属製チューブＣを接続するようになっている。
【００２１】
コネクター１は樹脂製で従来から公知のものであり、一端にフロアパネルＢの上側に配管された樹脂製チューブＡを接続する接続端部１１と、その下側に連続して一体的に形成されたハウジング部１２とを備えている。ハウジング部１２は、他端（下側）に向かって外径が段階的に大きくなるように形成され、即ち接続端部１１に隣接して順に小径部１２1、中径部１２2、大径部１２3が設けられ、中径部１２2と大径部１２3の境界にはコネクターホルダー２に挿着する際のストッパーとして機能する肩部１２ａが形成されている。
【００２２】
そして、ハウジング部１２の下端部には公知の保持エレメント１３が嵌め込まれて保持されており、フロアパネルＢの下側に配管される金属製チューブＣの他端を押し込むことにより、金属製チューブＣに設けた外周凸部が保持エレメント１３の係合爪１３ａと係合してワンタッチで保持されるようになっている。尚、ハウジング部１２の中径部１２2内には通常のごとく複数のＯリング１４が挿着され、ハウジング部１２内に挿入される金属製チューブＣとのシール性を確保するようになっている。
【００２３】
コネクターホルダー２は、合成ゴム等のエラストマー又は熱可塑性エラストマーからなり、図２に示すようにコネクター１を嵌合保持する軸孔２２を有するホルダー本体部２１を備えている。また、このコネクターホルダー２は、周縁フランジ部として、ホルダー本体部２１から外側に向かって軸孔２２に対し径方向に突出した環状の平板周縁部２３を有している。コネクター１はホルダー本体部２１の下側（軸孔２２の大径側）から軸孔２２に挿入され、その接続端部１１がホルダー本体部２１から上方に突き出し、同時にハウジング部１２の大部分がホルダー本体部２１内に収納されて保持される。
【００２４】
また、コネクターホルダー２の環状の平板周縁部２３の下側面には、平板周縁部２３から直角方向下側に突出して、フロアパネルＢの開口に嵌合する筒状の案内壁部２５が設けてあり、更にフロアパネルＢにコネクターホルダー２を仮止めするための第１の仮止め手段として、案内壁部２５の外周側に開口の周縁部Ｂ1と係合する弾性爪２６が複数ケ所に形成してある。また、図２及び図４に示すように、平板周縁部２３の下側面には、１つの環状凸部２４が形成してあり、図１のごとくフロアパネルＢにコネクターホルダー２を取り付けた際に、この環状凸部２４がフロアパネルＢに当接してシール性を確保し、水や埃等がパネルＢとの隙間を通って侵入できないようになっている。
【００２５】
コネクターホルダー２の軸孔２２は、上側部分が下側部分より小径になっていて、その段差に挿入されたコネクター１の肩部１２ａが当接するようになっている。また、軸孔２２の上側部分の内周面には複数のリング状凸部２２ａが形成してあり、その分だけ軸孔２２の内径を大きくできるため軸孔２２へのコネクター１の嵌め込みが容易になると同時に、リング状凸部２２ａによりコネクターホルダー２とコネクター１の間のシール性を確保できるようになっている。更に、望ましくは、軸孔２２の下側部分の内周面には、コネクター１の大径部１２3に設けた窓部１２ｂに嵌合してその上下移動を阻止するように、複数の突起部２２ｂが形成してある。
【００２６】
取付部材３は、金属又は合成樹脂からなり、図１及び図３に示すごとく、コネクターホルダー２の周縁フランジ部である平板周縁部２３を押えるように、平板周縁部２３の形状に沿った環状の平板部３１と、この環状平板部３１から直角方向にコネクターホルダー２のホルダー本体部２１に沿って上方に伸び、ホルダー本体部２１の外周を支持する筒状部３２とから構成されている。また、取付部材３の環状平板部３１の相対する位置には、図１及び図４に示すように外側に突き出た突出部３３が形成してあり、この突出部３３に第２の仮止め手段としてフロアパネルＢに設けた係止穴にスナップ係合する爪部３４ａを持つファスナー３４を取り付けるようになっている。
【００２７】
尚、フロアパネルＢへのコネクターホルダー２の第２の仮止め手段として、この具体例では取付部材３の突出部３３に市販のファスナー３４を固着したが、フロアパネルＢへの係止が可能であればクリップ等の他の仮止め手段であってもよい。また、この具体例では、コネクターホルダー２と取付部材３の両方にそれぞれ第１及び第２の仮止め手段を設けたが、いずれか片方のみであってもよい。更に、コネクターホルダー２の周縁フランジ部である平板周縁部２３の長手方向における両端部には、図４に示すように、パネルに固定するためのボルト部材を挿通する貫通穴２７を穿設する。
【００２８】
この配管取付装置を組み立てる場合には、まず図２に示すコネクターホルダー２の上に取付部材３を嵌め込み、コネクターホルダー２の軸孔２２にコネクター１を挿着した後、図１のごとくコネクターホルダー２から上方に突き出たコネクター１の接続管部１１に樹脂製チューブＡを接続する。
【００２９】
このようにして、それぞれ樹脂製チューブＡを接続した複数のコネクター１を１つのコネクターホルダー２にまとめて簡単に組み付けることができるので、その後は複数の樹脂製チューブＡと複数のコネクター１とを一体的に取り扱うことが可能になる。しかも、この状態で各コネクター１をそれぞれコネクターホルダー２から簡単に取り外すことができるので、組み付けの間違い等があった場合や市場でのメンテナンスで必要な場合には、容易に取り外して交換することが可能である。
【００３０】
次に、このコネクターホルダー２の案内壁部２５をフロアパネルＢの開口に上方から挿入し、第１の仮止め手段として案内壁２５に設けた複数の弾性爪２６をフロアパネルＢの開口の周縁部Ｂ1に係合すると同時に、第２の仮止め手段として取付部材３の突出部３３に取り付けた市販のファスナー３４の爪部３４ａをフロアパネルＢに設けた係止穴にスナップ係合させることにより、コネクターホルダー２をフロアパネルＢに仮止めする。
【００３１】
図３に示すように、取付部材３の環状平板部３１には、コネクターホルダー２の平板周縁部２３に設けた貫通穴２７と連通する位置に穿孔を設け、そこに通常の雌ネジ部材３５を予め溶接して固定しておく。そして、上記のごとくフロアパネルＢに仮止めしたコネクターホルダー２に嵌合している取付部材３の雌ネジ部材３５に、フロアパネルＢの下側からボルト部材３６を螺合することにより、コネクターホルダー２をフロアパネルＢに固定する。このとき、コネクターホルダー２の平板周縁部２３に設けた環状凸部２４がフロアパネルＢに当接し、同時に上方から取付部材３の環状平板部３１によって強く押えられるので、環状凸部２４がフロアパネルＢに強く密着して一層優れたシール性を確保できる。
【００３２】
その後、コネクターホルダー２に保持された各コネクター１の他端に金属製チューブＣを挿入すれば、図５に示すように、金属製チューブＣに設けた外周凸部が保持エレメント１３と係合してワンタッチで嵌合するので、フロアパネルＢの両側に配管された複数の樹脂製チューブＡと複数の金属製チューブＣを簡単に接続することができる。
【００３３】
尚、この実施例では、フロアパネルＢにコネクターホルダー２を仮止めする手段として、コネクターホルダー２に設けた弾性爪２６からなる第１の仮止め手段と、取付部材３に設けたファスナー３４の爪部３４ａからなる第２の仮止め手段とを併用しているが、そのいずれか片方のみを採用しても差し支えない。また、この実施例では、樹脂製チューブＡと金属製チューブＣとをフロアパネルＢに対して略直角に保持して接続しているが、コネクターホルダー２の軸孔２２と周縁フランジ部２３との交差角度を傾けることにより、樹脂製チューブＡと金属製チューブＣとをフロアパネルＢに対して傾斜して接続することもできる。
【００３４】
実施例２
本発明による配管取付装置の別の具体例を、図面を参照して説明する。図６及び図８は自動車の燃料タンクの配管系統に用いる配管取付装置であり、一端に樹脂製チューブＡを接続するコネクター１と、複数のコネクター１を同時に保持するコネクターホルダー２と、コネクターホルダー２をフロアパネルＢの開口に取付けて固定する取付部材３とからなる。コネクターホルダー２は、図１０に示すようにフロアパネルＢに取り付けられた後、各コネクター１の他端に金属製チューブＣをそれぞれ接続するようになっている。尚、この実施例におけるコネクター１は、保持エレメント１３と共に、樹脂製で従来から公知のものであり、実施例１と同一であるから、その説明を省略する。
【００３５】
コネクターホルダー２は合成ゴム等のエラストマー又は熱可塑性エラストマーからなり、図７に示すように、コネクター１を嵌合保持する軸孔２２を有するホルダー本体部２１を備えている。図６に示すように、コネクター１はホルダー本体部２１の下側（軸孔２２の大径側）から軸孔２２に挿入され、その接続端部１１がホルダー本体部２１から上方に突き出し、ハウジング部１２の大部分がホルダー本体部２１内に収納されて保持される。尚、コネクターホルダー２の軸孔２２に嵌合保持されるコネクター１は実施例１と同一であるから、軸孔２２の構造や、リング状凸部２２ａ及び突起部２２ｂについても実施例１と同様である。
【００３６】
また、このコネクターホルダー２の周縁フランジ部は、ホルダー本体部２１から外側に向かって軸孔２２に対しほぼ直角に突出した環状の平板周縁部２３と、その外周側を内側に折り返して断面略コ字状に形成した環状の折り返し周縁部２８とからなっている。そして、この周縁フランジ部である平板周縁部２３と折り返し周縁部２８及びその間の連結部２３ａにより形成された環状溝２９内には、剛性の取付部材３が埋設されるように配置されている。折り返し周縁部２８の下側面には、図７に示すように１つの環状凸部２４が形成してあり、図６のごとくフロアパネルＢにコネクターホルダー２を取り付けた際に、環状凸部２４がフロアパネルＢに当接して優れたシール性を確保できるようになっている。
【００３７】
コネクターホルダー２の環状溝２９に配置される環状の取付部材３は、金属又は合成樹脂からなり、環状溝２９の外形に合わせた形状の単なる平板であってもよい。この具体例の取付部材３は、ナイロン等の合成樹脂からなり、図６及び図８に示すように、環状溝２５内に配置された平板部３１と、この平板部３１から直角方向下方にコネクターホルダー２のホルダー本体部２１の下側部分に沿って伸びた筒状案内部３８とを備えている。尚、コネクターホルダー２と取付部材３とは、インジェクション成形により一体的に接合して形成することができる。その場合、コネクターホルダー２を構成する熱可塑性エラストマーとしては、ショア硬度７５のポリプロピレン樹脂とＥＰＤＭのポリマアロイ（例えば、エーイーエス・ジャパン社製のサントプレーン１０１−７５）が好ましい。
【００３８】
この筒状案内部３８の外周には、図６及び図９に示すように、フロアパネルＢの開口の周縁部Ｂ1に係合する仮止め用爪部として、複数の弾性爪部３９が設けてある。即ち、この筒状案内部３８はフロアパネルＢの開口内に容易に挿入することができ、そして筒状案内部３８に設けた弾性爪部３９がスナップ作用によってフロアパネルＢの開口の周縁部Ｂ1に係合するので、コネクターホルダー２を取付部材３と一緒にフロアパネルＢの開口に仮止めできる。
【００３９】
この配管取付装置を組み立てる場合には、実施例１の場合と同様に、まず図７に示すコネクターホルダー２の環状溝２９内に、取付部材３を予め一体的に接合しておくか又は後から嵌め込んで配置する。このコネクターホルダー２の軸孔２２に複数のコネクター１を挿着した後、図６に示すごとく、コネクターホルダー２から上方に突き出た各コネクター１の接続管部１１にそれぞれ樹脂製チューブＡを接続する。
【００４０】
次に、コネクターホルダー２の環状溝２９内に配置した取付部材３の筒状案内部３８を、コネクターホルダー２のホルダー本体部２１の下側部分と一緒に、フロアパネルＢの開口に上方から挿入する。このとき、ホルダー本体部２１の下側部分を覆っている取付部材３の筒状案内部３８の外周に設けた仮止め用の各弾性爪部３９が、パネルＢの開口の周縁Ｂ1に係合されて、コネクターホルダー２がフロアパネルＢに仮止めされる。
【００４１】
取付部材３の平板部３１の長手方向両端部には、図８に示すように、金属製の剛性雌ネジ部材３７を取付部材３の形成時に一体的に固着しておく。そして、上記のごとくフロアパネルＢにコネクターホルダー２を仮止めした後、剛性雌ネジ部材３７にフロアパネルＢの下側からボルト部材３６を螺合することにより、コネクターホルダー２をフロアパネルＢに固定する。
【００４２】
このとき、コネクターホルダー２の折り返し周縁部２８に設けた環状凸部２４がフロアパネルＢに当接し、同時に環状凸部２４には上方から取付部材３の平板部３１が強く押し付けられるので、コネクターホルダー２とフロアパネルＢとが密着して優れたシール性を確保することができる。尚、剛性雌ネジ部材３７は、その端部を押し潰して平板部３１にかしめ固着することもでき、或は取付部材３の平板部３１に直接雌ネジを形成することも可能である。
【００４３】
その後、実施例１の場合と同様に、コネクターホルダー２に保持された各コネクター１の他端にそれぞれ金属製のチューブＣを挿入すれば、図１０に示すように、金属製チューブＣに設けた外周凸部が保持エレメント１３と係合してワンタッチで嵌合するので、フロアパネルＢの両側に配管されたチューブＡとチューブＣを相互に接続することができる。
【００４４】
【発明の効果】
本発明によれば、コネクターホルダーがエラストマー又は熱可塑性エラストマーからなるため、コネクターホルダーとコネクターの間及びコネクターホルダーとパネルとの間に別部品のシール部材を介在させなくても、これらの間のシール性を確保して水や埃等の侵入を防ぐことができ、少ない部品点数からなる安価で簡単な構造の配管取付装置を提供することができる。
【００４５】
また、配管取付装置のコネクターホルダーに複数のコネクターをまとめて保持できるので、自動車の燃料タンクの配管系統のように、複数のチューブを一体的にまとめて接続する場合に特に適している。
【図面の簡単な説明】
【図１】本発明の配管取付装置の一具体例を示す側面からみた断面図である。
【図２】本発明の配管取付装置に用いるコネクターホルダーの具体例を示す側面からみた断面図である。
【図３】本発明の配管取付装置の一具体例を示す正面からみた一部切欠正面図である。
【図４】本発明の配管取付装置におけるコネクターを保持したコネクターホルダーの具体例を示す底面図である。
【図５】本発明の配管取付装置を用いて配管をパネルに取り付けた状態の具体例を示す正面図である。
【図６】本発明の配管取付装置の別の具体例を示す側面からみた断面図である。
【図７】本発明の配管取付装置に用いるコネクターホルダーの別の具体例を示す側面からみた断面図である。
【図８】本発明の配管取付装置の別の具体例を示す正面からみた一部切欠正面図である。
【図９】本発明の配管取付装置におけるコネクターを保持したコネクターホルダーの別の具体例を示す底面図である。
【図１０】本発明の配管取付装置を用いて配管をパネルに取り付けた状態の別の具体例を示す正面図である。
【符号の説明】
Ａ    樹脂製チューブ
Ｂ    フロアパネル
Ｃ    金属製チューブ
１    コネクター
１１    接続端部
１２    ハウジング部
１２ａ  肩部
１２ｂ  窓部
１３    保持エレメント
１３ａ  係合爪
１４    Ｏリング
２    コネクターホルダー
２１    ホルダー本体部
２２    軸孔
２２ａ  リング状凸部
２２ｂ  突起部
２３    平板周縁部
２３ａ  連結部
２４    環状凸部
２５    案内壁部
２６    弾性爪
２７    貫通穴
２８    折り返し周縁部
２９    環状溝
３    取付部材
３１    平板部
３２    筒状部
３３    突出部
３４    ファスナー
３５    雌ネジ部材
３６    ボルト部材
３７    剛性雌ネジ部材
３８    筒状案内部
３９    弾性爪部
【図１】
0003675116.tif 000002
【図２】
0003675116.tif 000003
【図３】
0003675116.tif 000004
【図４】
0003675116.tif 000005
【図５】
0003675116.tif 000006
【図６】
0003675116.tif 000007
【図７】
0003675116.tif 000008
【図８】
0003675116.tif 000009
【図９】
0003675116.tif 000010
【図１０】
0003675116.tif 000011